(57)【要約】【課題】簡易な構造によって、セードの着脱時に確実に、かつ、明確に確認音が出るようにして、オペレータに該セードの取付状態を的確に認知させるようにする。【解決手段】照明器具本体１に、セード２を回し込んで着脱する照明器具１００において、該セード２の開口上部の立上り部８に内側方向に係合用のリブ９を複数に突設し、該リブ９を平面視山状に形成し、該リブ９に対応して、照明器具本体１に取付部３を配置し、該取付部３に該リブ側面に当接するように弾性片１８を突出し、該弾性片１８が、該取付部３側の基部２３と先端部２２とを結ぶ直線が該リブ９の脱離方向（Ｙ方向）に傾倒され、該セード２の着脱回動の際に、該リブ９の頂部９ｃ通過時に確認音を生じさせるようにした。【選択図】図９
2005142021.tif 000002
【特許請求の範囲】
【請求項１】
照明器具本体にセードを一側方から回し込んで着脱する照明器具において、該セードの開口上部の立上り部に内側方向に係合用のリブを複数に突設し、該リブを平面視山状に形成し、該リブに対応して、照明器具本体に取付部を配置し、該取付部に該リブ側面に当接するように弾性片を突出し、該弾性片が、該取付部側の基部と先端部とを結ぶ直線が該リブの脱離方向に傾倒され、該セードの着脱回動の際に、該リブの頂部通過時に確認音を生じさせることを特徴とする照明器具。
【請求項２】
前記弾性片は、前記基部と先端部との間に屈曲部が設けられ、該屈曲部が、該基部と先端部とを結ぶ直線より係合方向に位置することを特徴とする請求項１記載の照明器具。
【請求項３】
前記弾性片は、前記基部から少なくとも前記屈曲部までが、前記リブの係合方向に対して略垂直となるように突出されることを特徴とする請求項２記載の照明器具。
【発明の詳細な説明】
【技術分野】
【０００１】
本発明は、照明器具本体へセードを回し込むことによって着脱する照明器具に関し、該セードの着脱の際に弾性体が弾かれる音（以下、確認音と称する）が生じる照明器具の改良技術に関するものである。
【背景技術】
【０００２】
従来、天井直付型の照明器具には、照明器具本体にセードやグローブ等を取り付ける構造として、回転金具式・回転レバー式・バネ式等によるセード等の取付構造が配設されていた。このような取付構造においては、いずれも天井部に照明器具本体を所定位置に固定した後、オペレータによって、該照明器具本体やセード等に配設された金具やレバー等の取付部が操作されて、セード等の着脱が行われるものであった。
【０００３】
汎用されている照明器具の中でも、天井直付型の照明器具は、天井部に固定された照明器具本体にセード等が取り付けたり取り外したりされるため、かかるセードの着脱は簡易な操作によることが好ましい。また、セードの取り付けが不完全であればセードが不意に落下してしまう恐れがあり、セードが完全に取り付けられたことをオペレータに知らせるような構造であれば、着脱作業の確実性を担保することができる。
【０００４】
そこで、かかる観点から、照明器具におけるセードの取付部等にクリック音等の確認音による発音手段を具備させて、セード等の着脱状態を確認するという技術が提案されている。
例えば、特許文献１に記載の照明器具においては、セード取付部の構造が、セードに設けられた受け具を支持しながら該取付部に挿入するガイド部を、受け具挿入側より照明器具本体に傾斜するように延出し、該ガイド部の先端に落下防止部を立上げ、該受け具の移動経路であって該受け具に弾かれることによって音を出す音だし部材を、該受け具の係合側に有するものが提案されている。このような構造とすることで、着脱作業の際の不用意なセードの落下を防止しながら、かつ、確認音によってセードの着脱の状態を確認するものである。
【０００５】
また、特許文献２に記載の照明器具においては、照明器具本体に所定間隔をもって配設される複数の取付部が、取付板に固定されるフランジと、このフランジから立ち上がる立上り部と、この立上り部の先端に形成されて取付板の外側に延びて着脱ガイド部材と係合する支持部と、この支持部が着脱ガイド部材の装着開始位置から装着完了位置に至る間の所定位置を通過したことを報知するための弾性体からなる発音体とから一体形成されるものが提案されている。このような構造とすることで、照明器具本体とセード等との間に多少のガタが存在しても、発音体によるクリック音を確実に生じさせるというものである。
【０００６】
【特許文献１】特許第３２７２８０７号公報
【特許文献２】特開２００２−３３０１３号公報
【発明の開示】
【発明が解決しようとする課題】
【０００７】
しかしながら、上記特許文献１記載の照明器具のように、従来の音だし部材は、受け具の係合方向に対して単に垂直に配設されるものであったため、かかる音だし部材の形状や、受け具の形状や係合の仕方によって、確認音が出ない場合があった。また、確認音が出ても、垂直に配設された音だし部材では、跳ね返りのストロークが小さいため、確認音が小さかった。
【０００８】
また、上記の取付構造は、照明器具に複数個配設されるものであり、その構造がより簡易で、かつ、適応範囲の広いものであることが好ましい。前記特許文献２に記載の照明器具においては、その取付部の形状に対応したセード等にその使用が限定され、また、形成加工が容易ではなかった。
【０００９】
そこで、本発明は、照明器具に関し、前記従来の課題を解決するもので、簡易な構造によって、セードの着脱時に確実に、かつ、明確に確認音が出るようにして、オペレータに該セードの取付状態を的確に認知させるようにすることを目的とするものである。
【課題を解決するための手段】
【００１０】
本発明の解決しようとする課題は以上の如くであり、次にこの課題を解決するための手段を説明する。
【００１１】
すなわち、請求項１においては、照明器具本体にセードを一側方から回し込んで着脱する照明器具において、該セードの開口上部の立上り部に内側方向に係合用のリブを複数に突設し、該リブを平面視山状に形成し、該リブに対応して、照明器具本体に取付部を配置し、該取付部に該リブ側面に当接するように弾性片を突出し、該弾性片が、該取付部側の基部と先端部とを結ぶ直線が該リブの脱離方向に傾倒され、該セードの着脱回動の際に、該リブの頂部通過時に確認音を生じさせるものである。
【００１２】
請求項２においては、請求項１において、前記弾性片は、前記基部と先端部との間に屈曲部が設けられ、該屈曲部が、該基部と先端部とを結ぶ直線より係合方向に位置するものである。
【００１３】
請求項３においては、請求項２において、前記弾性片は、前記基部から少なくとも前記屈曲部までが、前記リブの係合方向に対して略垂直となるように突出されるものである。
【発明の効果】
【００１４】
本発明の効果として、以下に示すような効果を奏する。
【００１５】
請求項１の構成とすることで、セードを着脱する際の弾性片による確認音を大きくし、照明器具本体への着脱状態を容易に確認することができる。これによって、該セードの着脱作業が容易となり、また、かかる作業の確実性が向上される。また、従来と比べて簡易な構造のリブに構成でき、弾性片も取付部に簡単に配設できるため、同時に、製造コストを抑えることができる。
【００１６】
請求項２の構成とすることで、セードを取り付ける際の確認音を効果的に大きくし、また、その確実性を高めることができる。また、力をかけずに容易にセードを取り外すことができる。
【００１７】
請求項３の構成とすることで、該弾性片における基部の形成加工を容易にし、該弾性片の生産性を向上させ、製作コストを低減させることができる。
【発明を実施するための最良の形態】
【００１８】
以下、添付図面を参照しながら、本発明の実施の形態について説明する。
図１は本発明に係る照明器具の全体構成を示す斜視図である。図２はセードの平面図、図３は同じく側面図である。図４は取付部の斜視図、図５は同じく平面図、図６は同じく正面図、図７は同じく側面図、図８は弾性部材の斜視図である。図９は取付部へのリブの係合状態を示す平面図、図１０は取付部のリブの係止状態を示す平面図、図１１は取付部からリブの脱離状態を示す平面図である。
【００１９】
まず、本実施例に係る照明器具１００の全体構成について、以下に説明する。以下、セードの回動方向において、取付部３へのリブ９の係合方向をＸ方向、離脱方向をＹ方向とする。なお、本実施例においては、照明器具１００として、天井直付型のものについて示すが、本発明はこれに限定されるものではなく、例えば、壁直付型や吊設型のものであってもよい。
【００２０】
図１に示すように、本実施例に係る照明器具１００は、該照明器具本体１の下方から略平行となるようにセード２を持ち上げながら当接して、該セード２がＸ方向に回動されることによって、取付部３にリブ９（図２および図３参照）が係止される。そして、該照明器具本体１への該セード２の取り付けを完了した状態となれば、弾性片１８による確認音によってオペレータに知らせるような構成とされている。セード２を照明器具本体１から取り外す場合には、該セード２がＹ方向に回動されて、該取付部３へのリブ９の係止が解除される。前記照明器具本体１から前記セード２を安全に取り外し可能な状態となれば、確認音によってオペレータに知らせるような構成とされている。
【００２１】
図１に示す照明器具１００において、照明器具本体１は、略円板形のボディプレート４の中央に、点灯装置５や複数個のランプ６（本実施例においては３個）が配設されている。該ボディプレート４の周縁部には、下方に曲げられた縁部７が形成され、該縁部７に近接した中心側位置に、複数個の取付部３（本実施例においては３個）が配置されている。
【００２２】
図２および図３に示すように、前記セード２は、円形皿状の上部をすぼめて、内部空間にランプ６を収納できるようにし、上端の開口周縁部に上方を向いた立上り部８が形成されている。該立上り部８の外径は、前記縁部７の内径よりも小さくして嵌合できるようにしている。該立上り部８の内周側には、前記取付部３に係止されるリブ９が、セード２の内部方向に突出して一体に形成されている。該リブ９は、前記取付部３の配設個数と同数で、かつ、該取付部３の配設位置に対応して形成されている。本実施例においては、該リブ９が、前記セード２と一体として形成されるため、部品点数を低減させ、セード２の加工形成が容易となる。ただし、該リブ９が、セード２と別体として形成されてもよく、かかる場合には、該リブ９の破損等による交換が可能となり、取り扱いを向上させることができる。
【００２３】
該リブ９は、平面視山形状に形成され、受け部９ａが、前記取付部３へのリブ９の係合方向（Ｘ方向）前方部分に形成され、当接部９ｂが、該受け部９ａの後方部分に形成されている。該当接部９ｂと受け部９ａとの間には、頂部９ｃが形成され、該頂部９ｃ両側の斜辺の側面が、後述する弾性片１８と当接可能に成形されている。なお、該リブ９の形状（大きさ）および位置は、取付部３に対応して、セード２が落下しないように、かつ、弾性片１８と当接可能とされる。
【００２４】
また、側面視においてリブ９の厚さＬ（図３）は、受け部９ａと当接部９ｂとで異なるように形成されている。該受け部９ａの厚さＬ１は、該当接部９ｂの厚さＬ２よりも小さくなるように形成され（Ｌ１＜Ｌ２）、該リブ９の下面において、当接部９ｂとの略境界位置で段差部が形成されている。かかる形状とすることによって、該取付部３にリブ９を着脱する時に、係止をスムーズに行うとともに、弾性片１８によって確実に確認音が出されるようにしている。詳細は後述する。
【００２５】
次に、前記取付部３の構造について、以下に説明する。
図４乃至図７に示すように、該取付部３は、側面視（断面視）略コ字状となるように、略長形で鉛直方向に配置した基板１２から、下片１３、係止片１４および上片１５が水平方向に折曲形成されている。該取付部３はリブ９の係合方向（Ｘ方向）に沿って順に、開口部１０と係止部１１が形成され、該開口部１０は、下片１３および上片１５によって、該係止部１１は、係止片１４および上片１５によって構成されている。
【００２６】
該下片１３は、左端部（図６において左方）がガイド部１６として下方に傾斜して延出され、該下片１３の右端部が、略垂直に延出されている。該下片１３の右端（ガイド部１６と反対側）は上方に垂直に折り曲げられて、その上端が係止片１４よりも低い位置に設定されている。このような形状とすることで、セード２の係合の際に、前記リブ９が該ガイド部１６に当接されて該取付部３内へと係合され、該リブ９が下片１３上を摺動して該取付部３内へと確実に移動できるようにしている。また、該下片１３の摺動方向中途部上には、補強リブ１３ａが設けられ、強度が担保され、取付部３の補強リブ１３ａの摺動方向前後両側に固定用ボルトの挿通孔１３ｂ・１３ｂが貫設されている。
【００２７】
該係止片１４は、入口側の外側が斜めに切断され、かつ、前端部が下方向に滑らかに屈曲されて縁部１４ａが形成されている。このような形状とすることで、前記リブ９の受け部９ａが、引っ掛かりなくスムーズに該係止片１４の上面へと係合されるようにしている。また、該係止片１４には、取付部３の固定用ボルトの挿通孔１４ｂが貫設されている。
【００２８】
該上片１５は、略長形に形成され、前記開口部１０と係止部１１とにおいて連続されている。該上片１５は、補強リブ１５ａによって強度が担保され、取付部３および後述する弾性部材１７の固定用ボルトの貫通孔１５ｂ・１５ｂ・・・が貫設されている。本実施例にかかる取付部３は、該貫通孔１５ｂ・１５ｂ・・・を介して、前記照明器具本体１のボディプレート４表面に、照明器具本体１の外側に開口するように、ボルト２５・２５・・・によってネジ締め固定される（図４参照）。なお、該取付部３は、該照明器具本体１に該ボルト２５・２５・・・によって螺設されるだけでなく、例えば、かしめ止め等されるようにしてもよい。
【００２９】
本実施例においては、下片１３と上片１５との上下方向の間隔Ｌ３が、係止片１４と上片１５との上下方向の間隔Ｌ４より大きくなるように形成されている（Ｌ３＞Ｌ４）。そして、前記受け部９ａの厚さＬ１が、該間隔Ｌ３およびＬ４よりも小さく、前記当接部９ｂの厚さＬ２が、間隔Ｌ３より小さくかつ間隔Ｌ４よりも大きくなるように形成されている（Ｌ３＞Ｌ２＞Ｌ４）。このような形状とすることで、前記照明器具本体１にセード２を位置決めして取り付けることができる。すなわち、該受け部９ａが開口部１０から係止部１１にまで係合されると、当接部９ｂの厚さＬ２が間隔Ｌ４よりも大きいため（Ｌ２＞Ｌ４）、該当接部９ｂが係止片１４の左端部に当接されて、該リブ９が位置固定される。
【００３０】
なお、本実施例にかかる取付部３は、上述のように、必ずしも側面視略コ字状に形成されるものではなく、例えば、前記上片１５が前記基板１２から、照明器具本体１の内側方向に折曲等されていてもよい。すなわち、該取付部３は、該照明器具本体１に容易であって、確実に配設できる形状であればよく、かかる形状としては、当業者が容易に想到し得るものを含むものである。
【００３１】
次に、弾性部材１７の構造について、以下に詳述する。
図４乃至図８に示すように、弾性部材１７が、上片１５の左端に配設されている。該弾性部材１７は、弾性片１８と固定片１９とが、連設部２０を介して略Ｌ字状に連設され、全体としてばね性を有する金属材料で一体形成されている。該弾性片１８および該固定片１９は、該連設部２０に対して略垂直に折曲されている（図８参照）。
【００３２】
なお、ばね性を有する金属材料からなる弾性片１８のみを別体として、ばね性を有しない固定片１９等に配設するようにしてもよい。該取付部３に配設される該弾性部材１７は、照明器具本体１に配設される取付部３の全てに配設されても、その内の数個に配設されても、さらに、いずれか一個に配設されてもよい。本実施例においては、該弾性部材１７が、照明器具本体１に配設される取付部３の全てに配設されるものとする。
【００３３】
該固定片１９の略中央に貫通孔１９ｂが貫設され、該固定片１９の前端に下方に折曲された前端部１９ａが形成されている。該弾性部材１７は、該貫通孔１９ｂと前記貫通孔１５ｂとが重なるように、前記上片１５の左端に上方から当接され、図示せぬボルト等によってネジ締め固定される。その際に、該上片１５の前端に形成された凹部２１に該前端部１９ａが係止され、該弾性部材１７の固定位置が容易にズレないようにしている。
【００３４】
該弾性片１８は、先端部２２が幅広となるように側面視略Ｌ字状に形成され、該先端部２２は、先端が略Ｕ字状に折返し形成され、前記取付部３にリブ９が係合される際に、前記当接部９ｂと確実にかつ滑らかに当接されるようにしている。該弾性片１８は、弾性部材１７が取付部３に配設されると、該取付部３の内側面（基板１２）から突出するように構成されている。
【００３５】
図５および図６に示すように、本実施例においては、該弾性片１８はボディプレート４の略半径方向外側に向かって突出され、平面視において、Ｘ方向（もしくは、Ｙ方向）に対する基板１２からの略垂線と比べて、該基部２３と先端部２２とを結ぶ直線が、Ｙ方向に角度θとなるように傾倒されている（以下、取付位置を位置Ｐ１とする）。詳細には、図５および図８に示すように、該弾性片１８が、先端部２２と基部２３との間の略中央に屈曲部２４を設けて、平面視略「く」字状に、該基部２３から垂直に突出して屈曲部２４から先端部２２をＹ方向に屈曲して形成されている。
【００３６】
該セード２が着脱される際に、該弾性部材１７（弾性片１８）は、次のように作用する。すなわち、図９および図１０に示すように、照明器具本体１に該セード２を取り付ける場合は、該照明器具本体１に当接させてからセード２をＸ方向に回動する。このとき、前記ガイド部１６が下方に傾斜しているため、リブ９がガイド部１６上に容易に乗り上げることができ、前記取付部３内にリブ９が係合される。そして、前記受け部９ａが前記開口部１０に係合され、該リブ９の係合が進むにつれ、前記当接部９ｂの側面に前記弾性片１８の先端部２２が当接される。該弾性片１８は、該当接部９ｂの表面を形状（傾斜）に沿って曲げられて弾性変形し、前記基部２３を回動中心として、Ｘ方向に回動角度が大きくなるように回動される。
【００３７】
そして、該先端部２２が前記頂部９ｃに到達し、該頂部９ｃを超えると同時に、該弾性片１８の復帰する付勢力によって、位置Ｐ１（図６参照）を一旦Ｙ方向に越えてから元の位置Ｐ１に戻るときに、つまり、頂部９ｃで弾性片１８が弾かれた状態となり、その際に確認音が生じる。他方、かかる状態においては、前記受け部９ａがすでに係止部１１の上面に到達される。このとき、オペレータにおいては、該リブ９の当接部９ｂが斜辺となっているため、徐々に回す抵抗が大きくなり、締付け限度に近づいていることが感覚的に分かる。また、複数のリブ９・９・９が均等に押さえられることで、照明器具本体１とセード２との中心を略一致させて位置決めすることができる。
【００３８】
一方、図１０および図１１に示すように、照明器具本体１から該セード２を取り外す場合は、該照明器具本体１に係止されたセード２がＹ方向に回動されると、前記当接部９ｂ側面に前記弾性片１８の先端部２２が当接される。該弾性片１８は、該当接部９ｂの表面を形状に沿って当接されると同時に、前記基部２３を回動中心として、Ｙ方向に、該リブ９の脱離に伴って回動角度が大きくなるように回動される。そして、該先端部２２が前記頂部９ｃに到達し、該頂部９ｃを超えると同時に、該弾性片１８の付勢力によって、位置Ｐ１を一旦越えてから元の位置Ｐ１に復帰するときに確認音が生じる。該セード２の回動に伴って、前記受け部９ａが前記係止部１１から出て前記開口部１０を介して脱離され、該リブ９が前記取付部３から外される。なお、かかる確認音が生じた場合には、照明器具本体１からセード２が脱離可能な状態となっている。
【００３９】
このように、該弾性片１８によって、セード２の照明器具本体１への係合もしくは脱離のいずれの場合においても、確認音を生じさせるため、照明器具本体１へのセード２の着脱状態を容易に確認することができる。これによって、該セード２の着脱作業が容易となり、同時に、かかる作業の確実性が向上される。また、前記弾性片１８が傾斜して配設されているため、該セード２を取り外す場合に、該セード２を取り付ける場合と比べて該セード２を回す際の抵抗が小さく、力をかけずに容易に行うことができる。
【００４０】
従来は、該弾性片１８等の音だし部材が取付部３において、Ｙ方向（もしくは、Ｘ方向）に対して単に略垂直に配設されていた。本実施例に係る照明器具１００においては、弾性片１８が、Ｙ方向（もしくは、Ｘ方向）に対する基板１２からの略垂線と比べて、該基部２３と先端部２２とを結ぶ直線が、Ｙ方向に角度θとなるように傾倒されて取付部３に突設されているため、リブ９が取付部３に係合される際に、先端部２２が、当接部９ｂにより早く当接される。そうすると、該弾性片１８が該当接部９ｂによって回動される際のストロークが増大され、該弾性片１８において、位置Ｐ１に復帰させる付勢力が増大される。そのため、該弾性片１８によって大きな確認音を生じさせることができるのである。
【００４１】
該弾性片１８の形状は、上述のように、Ｘ方向（もしくは、Ｙ方向）に対する基板１２からの略垂線と比べて、該基部２３と先端部２２とを結ぶ直線が、Ｙ方向に角度θとなるように傾倒されていればよい。かかる形状として、例えば、基部２３から先端部２２にかけてなだらかに湾曲させてもよい。
【００４２】
該本実施例においては、該弾性片１８は、先端部２２と基部２３との略中央に屈曲部２４が設けられ、該屈曲部２４が、該基部２３と先端部２２とを結ぶ直線よりＸ方向に位置されている。かかる形状とすることで、セード２を照明器具本体１に取り付ける場合に、該弾性片１８の付勢力が増大されるため、該セード２を取り付ける際の確認音を効果的に大きくし、その確実性が高められる。特に、該基部２３から少なくとも該屈曲部２４までが、前記リブ９のＸ方向（もしくは、Ｙ方向）に対して略垂直となるように突出されるのが好ましい。該弾性片における基部の形成加工を容易にし、該弾性片の生産性を向上させ、製作コストを低減させることができるからである。
【００４３】
なお、該屈曲部２４の形成位置を、先端部２２と基部２３との略中央ではなく先端部２２もしくは基部２３のいずれかに近接するように形成させてもよく、該屈曲部２４を複数箇所に設けてもよい。かかる場合には、基部２３から、少なくとも、該基部２３に最も近い屈曲部２４までが、該リブ９のＸ方向（もしくは、Ｙ方向）に対して略垂直となるように突出されるのが好ましい。
【００４４】
本実施例に係る照明器具１００においては、該弾性片１８自体の付勢力によって、セード２の回動に抵抗力が生じ、係止可能な状態となったとたんに、かかる抵抗が開放されるため、確認音とともに振動も伝わり、オペレータにおいても、五感によって直接、セード２の係止状態をより確実に把握することができる。このように、大きな確認音や弾性力の変化によって、オペレータに該セード２の取り付けの完了を知らせることは、かかるセード２の係止が不十分なことで、その後、セード２が落下してしまうのを未然に防止することができるのである。
【００４５】
なお、前記取付部３もしくは弾性部材１７は、上述のように、ばね性を有する金属材料によって成形されるのみならず、例えば、機械特性に優れたポリプロピレン樹脂・ポリカーボネート樹脂等のエンジニアリングプラスチックや汎用プラスチック等などによって成形されてもよい。かかる場合には、金属材料よりも成形加工し易く、扱いが容易となる。また、該取付部３および弾性部材１７は、一体としても、別体として形成してもよい。さらに、該弾性片１８を、一旦取付部３に係止されたリブ９が、オペレータによることなくＹ方向に回動することを防止する、ストッパとして作用させてもよい。
【図面の簡単な説明】
【００４６】
【図１】本発明に係る照明器具の全体構成を示す斜視図。
【図２】セードの平面図。
【図３】同じく側面図。
【図４】取付部の斜視図
【図５】同じく平面図。
【図６】同じく正面図。
【図７】同じく側面図。
【図８】弾性部材の斜視図。
【図９】取付部へのリブの係合状態を示す平面図。
【図１０】取付部のリブの係止状態を示す平面図。
【図１１】取付部からリブの脱離状態を示す平面図。
【符号の説明】
【００４７】
１    照明器具本体
２    セード
３    取付部
８    立上り部
９    リブ
９ａ    受け部
９ｂ    当接部
９ｃ    頂部
１０    開口部
１１    係止部
１７    弾性部材
１８    弾性片
２２    先端部
２３    基部
１００    照明器具
【図１】
2005142021.tif 000003
【図２】
2005142021.tif 000004
【図３】
2005142021.tif 000005
【図４】
2005142021.tif 000006
【図５】
2005142021.tif 000007
【図６】
2005142021.tif 000008
【図７】
2005142021.tif 000009
【図８】
2005142021.tif 000010
【図９】
2005142021.tif 000011
【図１０】
2005142021.tif 000012
【図１１】
2005142021.tif 000013